(57)【要約】【課題】配管を構成する２つの管を確実に行うことができるユニオンねじを提供する。【解決手段】ユニオンねじ11は、２つの管P1,P2を接続する管継手10を構成する。ユニオンねじ11は、貫通状の管挿入穴16を有し、かつ互いに接続すべき２つの管P1,P2のうちの一方の管P1の端部が管挿入穴16内に挿入されるとともに、管挿入穴16の内周面に密着するように拡げられることにより当該一方の管P1に取り付けられる。ユニオンねじ11の管挿入穴16における他方の管P2側の端部に、他の部分よりも径の大きい大径円筒穴部22を形成する。【選択図】図２
2012021571.tif 000002
【特許請求の範囲】
【請求項１】
貫通状の管挿入穴を有し、かつ互いに接続すべき２つの管のうちの一方の管の端部が管挿入穴内に挿入されるとともに、管挿入穴の内周面に密着するように拡げられることにより当該一方の管に取り付けられており、上記２つの管を接続する管継手を構成するユニオンねじであって、
管挿入穴における接続すべき２つの管のうちの他方の管側の端部に、他の部分よりも径の大きい大径部が形成されているユニオンねじ。
【請求項２】
接続すべき２つの管のうちの一方の管の端部が、請求項１記載のユニオンねじの管挿入穴内に挿入されるとともに管挿入穴の内周面に密着するように拡げられ、上記一方の管の端部が径方向外側に曲げられて外方屈曲部が形成され、当該外方屈曲部が管挿入穴の大径部内に嵌っているユニオンねじ付き管。
【請求項３】
２つの管を接続する管継手であって、第１の管の管端に固定されたユニオンねじ、第２の管の管端に設けられたユニオンつば部、および第２の管に回転自在に取り付けられかつユニオンねじとユニオンつば部とを連結するユニオンナットを備えた管継手において、
第１の管の端部が、請求項１記載のユニオンねじの管挿入穴内に挿入されるとともに管挿入穴の内周面に密着するように拡げられ、さらに第１の管の端部が径方向外側に曲げられて外方屈曲部が形成されるとともに、当該外方屈曲部が管挿入穴の大径部内に嵌められており、ユニオンナットをユニオンねじにねじ嵌めた際に、第１の管の外方屈曲部がユニオンつば部により押さえられるようになされている管継手。
【発明の詳細な説明】
【技術分野】
【０００１】
この発明は、互いに接続すべき２つの管のうちの一方の管の端部に取り付けられ、かつ上記２つの管を接続する管継手を構成するユニオンねじ、ユニオンねじ付き管および管継手に関する。
【背景技術】
【０００２】
たとえば自動車などの車両に用いられる配管は、２以上の管を接続することにより構成されるが、隣り合う２つの管の接続は管継手を用いて行われる。
【０００３】
従来、管継手として、第１の管の管端に取り付けられたユニオンねじ、第２の管の管端に設けられたユニオンつば部、第２の管に回転自在に設けられかつユニオンねじとユニオンつば部とを連結するユニオンナットよりなるものが広く用いられている（特許文献１参照）。
【０００４】
特許文献１記載のユニオンねじは、貫通状の管挿入穴を有し、かつ第１の管の端部が管挿入穴内に挿入されるとともに管挿入穴の内周面に密着するように拡げられることにより、第１の管の端部に取り付けられるようになっている。管挿入穴は、第１の管の外径とほぼ等しい内径を有する小径円筒穴部と、小径円筒穴部よりも大径の大径円筒穴部と、大径円筒穴部の先端に連なりかつ先端に向かって拡径されたテーパ穴部とを備えている。そして、第１の管が、管挿入穴に通されるとともに、大径円筒穴部およびテーパ穴部の内周面に密着するように拡管されることによって、ユニオンねじが第１の管に取り付けられている。第１の管の先端部は、ユニオンねじのテーパ穴部から管挿入穴の長さ方向外側に突出させられるとともに径方向外側に曲げられており、径方向外側に曲げられた外方屈曲部が、ユニオンねじのテーパ穴部の大径側の端面に係合させられている。
【０００５】
しかしながら、特許文献１記載のユニオンねじによれば、外方屈曲部の寸法にばらつきが生じることによって、図４に示すように、第１の管(P)の外方屈曲部(31)の先端がユニオンねじ(30)の先端面の外周縁よりも径方向外側に突出することがあり、その場合、第２の管（図示略）に取り付けられたユニオンナット(32)をユニオンねじ(30)にねじ嵌めることができなくなって、２つの管(P)を接続することができないという問題が生じる。このような問題の発生を防止するためには、ユニオンねじ(30)を取り付けたすべての第１の管(P)について、第１の管(P)の外方屈曲部(31)が先端がユニオンねじ(30)の先端面の外周縁よりも径方向外側に突出しているか否かを検査する必要があり、その作業が面倒である。
【先行技術文献】
【特許文献】
【０００６】
【特許文献１】特開平１１−２５７５５８号公報
【発明の概要】
【発明が解決しようとする課題】
【０００７】
この発明の目的は、上記問題を解決し、２つの管の接続を確実に行うことができるユニオンねじ、ユニオンねじ付き管および管継手を提供することにある。
【課題を解決するための手段】
【０００８】
本発明は、上記目的を達成するために以下の態様からなる。
【０００９】
1)貫通状の管挿入穴を有し、かつ互いに接続すべき２つの管のうちの一方の管の端部が管挿入穴内に挿入されるとともに、管挿入穴の内周面に密着するように拡げられることにより当該一方の管に取り付けられており、上記２つの管を接続する管継手を構成するユニオンねじであって、
管挿入穴における接続すべき２つの管のうちの他方の管側の端部に、他の部分よりも径の大きい大径部が形成されているユニオンねじ。
【００１０】
2)接続すべき２つの管のうちの一方の管の端部が、上記1)記載のユニオンねじの管挿入穴内に挿入されるとともに管挿入穴の内周面に密着するように拡げられ、上記一方の管の端部が径方向外側に曲げられて外方屈曲部が形成され、当該外方屈曲部が管挿入穴の大径部内に嵌っているユニオンねじ付き管。
【００１１】
3)２つの管を接続する管継手であって、第１の管の管端に固定されたユニオンねじ、第２の管の管端に設けられたユニオンつば部、および第２の管に回転自在に取り付けられかつユニオンねじとユニオンつば部とを連結するユニオンナットを備えた管継手において、
第１の管の端部が、上記1)記載のユニオンねじの管挿入穴内に挿入されるとともに管挿入穴の内周面に密着するように拡げられ、さらに第１の管の端部が径方向外側に曲げられて外方屈曲部が形成されるとともに、当該外方屈曲部が管挿入穴の大径部内に嵌められており、ユニオンナットをユニオンねじにねじ嵌めた際に、第１の管の外方屈曲部がユニオンつば部により押さえられるようになされている管継手。
【発明の効果】
【００１２】
上記1)のユニオンねじによれば、接続すべき２つの管のうちの一方の管の端部が、管挿入穴内に挿入されるとともに管挿入穴の内周面に密着するように拡げられ、上記一方の管の端部が径方向外側に曲げられて外方屈曲部が形成され、当該外方屈曲部が管挿入穴の大径部内に嵌った状態で上記一方の管に取り付けられる。そして、管の端部の外方屈曲部が管挿入穴の大径部内に嵌った状態では、接続すべき２つの管のうちの他方の管に取り付けられたユニオンナットの回転の邪魔になることはなく、２つの管を確実に接続することができる。しかも、管の端部の外方屈曲部が管挿入穴から管挿入穴の長さ方向外側に突出しているか否かを検査するだけでよいので、管の外方屈曲部の先端がユニオンねじのテーパ穴部側の端面の外周縁よりも径方向外側に突出しているか否かを検査する場合に比べて作業性が向上する。
【００１３】
上記2)のユニオンねじ付き管によれば、接続すべき２つの管のうちの他方の管にユニオンつば部およびユニオンナットを設けておき、ユニオンねじ、ユニオンつば部およびユニオンナット利用して、２つの管を確実に接続することができる。
【００１４】
上記3)の管継手によれば、接続すべき２つの管を確実に接続することができる。
【図面の簡単な説明】
【００１５】
【図１】この発明のユニオンねじを備えた管継手を用いて管が接続された配管を有する冷凍サイクルを示す図である。
【図２】この発明のユニオンねじを備えた管継手を示す縦断面図である。
【図３】図１のユニオンねじを備えた管継手の要部を拡大して示す図である。
【図４】従来のユニオンねじを備えた管継手の要部を拡大して示す図である。
【発明を実施するための形態】
【００１６】
以下、この発明の実施形態を、図面を参照して説明する。なお、以下の説明において、図２の左右を左右というものとする。
【００１７】
図１は車両用空調装置を構成する冷凍サイクルを示し、図２および図３は冷凍サイクルの配管を構成する２つの管を接続する管継手を示す。
【００１８】
図１において、車両用空調装置を構成する冷凍サイクルは、たとえばフロン系の冷媒が用いられるものであって、コンプレッサ(1)と、凝縮部(3)、凝縮部(3)から流出した冷媒を気相と液相とに分離する受液器(4)および過冷却部(5)を有するコンデンサ(2)と、エバポレータ(6)と、エバポレータ(6)に流入する冷媒を減圧する減圧器としての膨張弁(7)とが配管(8)により接続されたものであり、一端部がコンデンサ(2)の過冷却部(5)の冷媒出口に接続された第１の管(P1)と、一端部が膨張弁(7)に接続された第２の管(P2)とが、管継手(10)により内部通路どうしが通じるように接続されている。
【００１９】
図２に示すように、第１および第２の管(P1)(P2)どうしを接続する管継手(10)は、第１の管(P1)の管端に取り付けられたユニオンねじ(11)、第２の管(P2)の管端に設けられたユニオンつば部(12)、および第２の管(P2)に回転自在に取り付けられかつユニオンねじ(11)とユニオンつば部(12)とを連結するユニオンナット(13)を備えている。
【００２０】
ユニオンねじ(11)は、六角形の頭部(14)、およびねじ部(15)を備えている。ユニオンねじ(11)には、その軸方向にのびかつ頭部(14)の端面からねじ部(15)の端面に至る管挿入穴(16)が貫通状に形成されている。管挿入穴(16)には、第１の管(P1)の外径よりも若干大きい内径を有する小径円筒穴部(17)と、小径円筒穴部(17)の先端に連なりかつ先端に向かって拡径された第１テーパ穴部(18)と、第１テーパ穴部(18)の先端に連なった中径円筒穴部(19)と、中径円筒穴部(19)の先端に連なりかつ先端に向かって拡径された第２テーパ穴部(21)と、第２テーパ穴部(21)の先端部に段部を介して形成された短尺の大径円筒穴部(22)（大径部）とが、左側から上記順序で並んで設けられている。
【００２１】
そして、第１の管(P1)の端部が管挿通穴(16)内に挿入された後、管挿入穴(16)の内周面に密着するように拡管されるとともに、第１の管(P1)の右端部が径方向外側に曲げられて外方屈曲部(23)が形成され、外方屈曲部(23)が管挿入穴(16)の大径円筒穴部(22)内に嵌まることによって、ユニオンねじ(11)が第１の管(P1)に取り付けられている。第１の管(P1)における管挿入穴(16)の中径円筒穴部(19)および第２テーパ穴部(21)に位置する部分の内部が、右方に開口しかつ内周面が円筒面となされた嵌合凹部(24)となっている。
【００２２】
ユニオンつば部(12)は、第２の管(P2)に一体に形成された環状ビードからなる。第２の管(P2)におけるユニオンつば部(12)よりも先端側の部分が、外周面が円筒面となされかつ嵌合凹部(24)内に挿入される嵌合凸部(25)となっている。嵌合凸部(25)の外周面にはＯリング装着用の環状溝(26)が全周にわたって形成されており、環状溝(22)内に、第１の管(P1)の嵌合凹部(24)の内周面と、第２の管(P2)の嵌合凸部(25)の外周面との間をシールするＯリング(27)が装着されている。
【００２３】
そして、第１の管(P1)の嵌合凹部(24)内に第２の管(P2)の嵌合凸部(25)を嵌め入れた後、ユニオンナット(13)をユニオンねじ(11)のねじ部(15)にねじ嵌めてユニオンねじ(11)とユニオンつば部(12)とを連結することにより、第１の管(P1)と第２の管(P2)とが接続されて配管(8)が構成される。
【００２４】
ここで、図３に示すように、第１の管(P1)の外方屈曲部(23)が、ユニオンねじの管挿入穴(16)の大径円筒穴部(22)内に嵌った状態では、第２の管(P2)に取り付けられたユニオンナット(13)の回転の邪魔になることはなく、確実に配管(8)を構成する２つの管(P1)(P2)を接続することができる。
【００２５】
上記実施形態においては、ユニオンつば部(12)が第２の管(P2)に一体に形成された環状ビードからなるが、これに限定されるものではなく、別個に形成されたものが第２の管(P2)に固定されていてもよい。
【産業上の利用可能性】
【００２６】
この発明によるユニオンねじは、カーエアコンを構成する冷凍サイクルの配管を構成する管を接続するのに好適に用いられる。
【符号の説明】
【００２７】
(8)：配管
(10)：管継手
(11)：ユニオンねじ
(12)：ユニオンつば部
(13)：ユニオンナット
(16)：管挿入穴
(22)：大径円筒穴部（大径部）
(23)：外方屈曲部
(P1)：第１の管
(P2)：第２の管
【図１】
2012021571.tif 000003
【図２】
2012021571.tif 000004
【図３】
2012021571.tif 000005
【図４】
2012021571.tif 000006